(57)【特許請求の範囲】
【請求項１】
バルコニー床または屋上床の周縁から立ち上げられて出隅を形成する２面の防水腰壁と、各防水腰壁のそれぞれ上方に設けられ各防水腰壁の表面よりも前方に張り出して出隅を形成する２面の外装材との、境界部分の防水構造であって、
出隅近傍の前記各外装材の下端にそれぞれ上縁が当接されるとともに、裏側に水密マットが重ねられて、出隅近傍の前記各防水腰壁の上端縁部にそれぞれ取り付けられ、表面に水切り面が形成された一対の水切りと、
前記各水切りの出隅側の一端に両縁端部がそれぞれ各別に連結され、前記２面の外装材の下端に上縁が当接されるとともに、裏側に水密マットが重ねられて、前記２面の防水腰壁にわたって配置された出隅用ジョイナーと、
前記２面の防水腰壁が形成する出隅に沿って継ぎ目なく連続する水切り面が表面に形成されるとともに、前記各水切りの出隅側の一端に水切り面同士がそれぞれ面一に連続するよう各別に連結されて、前記出隅用ジョイナーの前面を被覆する出隅用カバーと、
から構成され、
前記各水切りおよび前記出隅用カバーの各水切り面と前記２面の外装材の下端との間にシーリング材が充填されて、防水腰壁と外装材との境界部分が止水されたことを特徴とする防水腰壁の出隅における防水構造。
【請求項２】
バルコニー床または屋上床の周縁から立ち上げられて出隅を形成する２面の防水腰壁と、各防水腰壁のそれぞれ上方に設けられ各防水腰壁の表面よりも前方に張り出して出隅を形成する２面の外装材との、境界部分に設けられる防水腰壁の出隅用水切りであって、
該出隅用水切りは、出隅近傍の前記各防水腰壁の上端縁部にそれぞれ取り付けられる一対の水切りに両端縁部をそれぞれ各別に連結される、出隅用ジョイナーと出隅用カバーとから構成され、
前記出隅用ジョイナーは、前記２面の外装材の下端に上縁が当接されるとともに、裏側に水密マットが重ねられて前記２面の防水腰壁にわたって配置され、
前記出隅用カバーは、前記２面の防水腰壁が形成する出隅に沿って継ぎ目なく連続する水切り面が表面に形成されるとともに、前記各水切りに水切り面同士がそれぞれ面一に連続するよう連結されて、前記出隅用ジョイナーの前面を被覆することを特徴とする出隅用水切り。
【発明の詳細な説明】
【０００１】
【発明の属する技術分野】
本発明は、建物のバルコニー床や屋上床（以下「外部床」という）の周縁から立ち上げられて、その上端が外壁パネルや開口部外枠などの外装材の下端に当接する防水腰壁の防水構造のうち、特に、防水腰壁の出隅における防水構造およびその防水構造に使用される出隅用水切りに関する。
【０００２】
【従来の技術】
図１１に示すように、外部床１の表面には、防水処理のため、通常、防水シート１１や塩ビ鋼板等からなる防水層が敷設される。外部床１は、その周縁が立ち上げられて、上端が外壁や手摺壁等の表面を構成する外壁パネル、あるいは開口部外枠など各種の外装材２の下端に突き当てられている。そして、防水シート１１等が立ち上がり部分の表面に延設され、その上端まで貼着されることにより、防水腰壁３が形成されている。この場合、防水腰壁３の表面は外装材２の表面よりもやや後退するように、換言すると、外装材２の表面が防水腰壁３の表面よりも外部床１側に張り出した状態となるように設けられている。
【０００３】
このような防水腰壁３と外装材２との境界部分を止水するため、防水腰壁３の上端縁部には水切り４が取り付けられる。
【０００４】
水切り４は、樹脂や金属板等の素材により長尺に形成され、シーリング受け部４１と、その下端から前方に張り出して下方に垂下する水切り部４２とを備えている。そして、シーリング受け部４１の上端を外装材２の下端に当接させるようにして防水腰壁３の上端縁部に沿ってあてがわれ、シーリング受け部４１に設けられた複数個の透孔４３を通してビス５１を打ち込むことにより防水腰壁３に固定される。次いで、シーリング受け部４１の前面にバックアップ材が貼着され、これを下地として、シーリング材が外装材２の下端面と水切り部４２の上面との間に充填される。こうして、防水腰壁３と外装材２との境界部分の止水が図られる。
【０００５】
ところで、２面の防水腰壁３が出隅を形成する場合、この出隅に前記水切り４を取り付けるには、出隅両側の２面の防水腰壁３に、それぞれ水切り４をその一端が出隅の稜角部からはみ出すように取り付け、はみ出して重なる部分をそれぞれ斜めに切り落として「留め」の形に継ぎ合わせる、という方法によるのが一般的である。
【０００６】
【発明が解決しようとする課題】
しかしながら、防水腰壁３の出隅においては、通常、図１２に示すように、外部床１の表面に敷設された防水層（この例では塩ビ鋼板１０）の周縁を防水腰壁３の表面に沿って若干立ち上げ、その上に、外部床１の周縁から防水腰壁３の上部までを被う別の防水シート１２を貼り重ね、さらにその上に、出隅の稜角部の形状に合わせて３面を一体に成形した防水部材１３を貼着するなどして防水処理が施される。このような処理によれば、出隅の稜角部付近の表面には、貼り重ねられた防水部材１３等による段差が形成されることになる。
【０００７】
そのため、このような出隅において前記した水切り４を施工しようとすると、水切り４の端部が防水部材１３等による段差に乗り上げてしまうので、水切り４の端部を稜角部に密着させて確実に固定することが困難になる。その結果、水切り４の出隅側端部の納まりが悪くなり、見栄えが損なわれるとともに、出隅における防水性能が低下して浸水を招くおそれがある。
【０００８】
また、出隅両側の一対の水切り４を稜角部の前面で「留め」の形に継ぎ合わせる際には、継ぎ合わせ部分を高い精度で加工して隙間なく接合するという面倒な作業が必要になる。この手間を省いて所定の水密性を得るために、水切り４の継ぎ合わせ部分にシーリングを施したり防水テープを貼着するなどの処理がなされることも多く、これらによっても出隅の外観が見苦しくなってしまう。
【０００９】
また、出隅の稜角部は、その形態上、歩行者や物品がぶつかって痛むことが多いため、防水腰壁３から水切り４が剥がれて浮き上がってきたり、水切り４の継ぎ合わせ部分に施されたシーリングや防水テープがめくれたりして、継ぎ合わせ部分の防水性能が徐々に劣化するおそれもある。
【００１０】
本発明は、このような事情に鑑みてなされたもので、防水腰壁の出隅の表面に防水部材等が貼り重ねられている場合でも納まりよく施工することができ、防水腰壁と外装材との境界部分を確実に止水することができて、さらに耐久性にも優れる、防水腰壁の出隅における防水構造と、その防水構造に使用される出隅用水切りを提供することを目的としている。
【００１１】
【課題を解決するための手段】
前記目的を達成するため、本発明の請求項１に記載の防水腰壁の出隅における防水構造は、バルコニー床または屋上床の周縁から立ち上げられて出隅を形成する２面の防水腰壁と、各防水腰壁のそれぞれ上方に設けられ各防水腰壁の表面よりも前方に張り出して出隅を形成する２面の外装材との、境界部分の防水構造であって、出隅近傍の前記各外装材の下端にそれぞれ上縁が当接されるとともに、裏側に水密マットが重ねられて、出隅近傍の前記各防水腰壁の上端縁部にそれぞれ取り付けられ、表面に水切り面が形成された一対の水切りと、前記各水切りの出隅側の一端に両縁端部がそれぞれ各別に連結され、前記２面の外装材の下端に上縁が当接されるとともに、裏側に水密マットが重ねられて、前記２面の防水腰壁にわたって配置された出隅用ジョイナーと、前記２面の防水腰壁が形成する出隅に沿って継ぎ目なく連続する水切り面が表面に形成されるとともに、前記各水切りの出隅側の一端に水切り面同士がそれぞれ面一に連続するよう各別に連結されて、前記出隅用ジョイナーの前面を被覆する出隅用カバーと、から構成され、前記各水切りおよび前記出隅用カバーの各水切り面と前記２面の外装材の下端との間にシーリング材が充填されて、防水腰壁と外装材との境界部分が止水されたことを特徴としている。
【００１２】
また、本発明の請求項２に記載の出隅用水切りは、バルコニー床または屋上床の周縁から立ち上げられて出隅を形成する２面の防水腰壁と、各防水腰壁のそれぞれ上方に設けられ各防水腰壁の表面よりも前方に張り出して出隅を形成する２面の外装材との、境界部分に設けられる防水腰壁の出隅用水切りであって、該出隅用水切りは、出隅近傍の前記各防水腰壁の上端縁部にそれぞれ取り付けられる一対の水切りに両端縁部をそれぞれ各別に連結される、出隅用ジョイナーと出隅用カバーとから構成され、前記出隅用ジョイナーは、前記２面の外装材の下端に上縁が当接されるとともに、裏側に水密マットが重ねられて前記２面の防水腰壁にわたって配置され、前記出隅用カバーは、前記２面の防水腰壁が形成する出隅に沿って継ぎ目なく連続する水切り面が表面に形成されるとともに、前記各水切りに水切り面同士がそれぞれ面一に連続するよう連結されて、前記出隅用ジョイナーの前面を被覆することを特徴としている。
【００１３】
【発明の実施の形態】
以下、本発明の実施の形態について説明する。
【００１４】
まず、防水腰壁の一般部に取り付けられる水切りと、それを使用して施工される防水腰壁の防水構造について説明する。
【００１５】
図８は、水切り６の構成を斜視図によって示し、図９は前記水切り６を構成する各部材の断面形状を示している。
【００１６】
水切り６は、レール６１、ブラケット６２およびカバー６３の３種類の部材から構成されている。レール６１およびブラケット６２は、それらが重ねられて防水腰壁にビス止めされるもので、カバー６３は、ブラケット６２に係合支持されてレール６１を被覆するものである。
【００１７】
レール６１は、一様断面を有する長尺部材で、その下半部が基板部６１１、上半部がシーリング受け部６１２となされている。基板部６１１の上縁および下縁には、基板部６１１に直交する上側リブ６１３および下側リブ６１４がそれぞれ形成されている。シーリング受け部６１２は、上側リブ６１３の後縁から上方に立ち上げられている。また、上側リブ６１３の後縁には下向きのリップ６１５が形成され、下側リブ６１４の後縁には上向きのリップ６１６が形成されている。
【００１８】
ブラケット６２は、定寸の短尺部材で、レール押さえ部６２１と、その上縁および下縁からそれぞれ前方に延出された上側カバー被係合部６２２、下側カバー被係合部６２３とから形成されている。レール押さえ部６２１は、その高さ方向の外寸が、前記レール６１の上側リブ６１３と下側リブ６１４との間にちょうど嵌合される寸法になされている。そして、上側カバー被係合部６２２の上面および下側カバー被係合部６２３の下面には、それぞれ爪形の凸条が形成されている。
【００１９】
ブラケット６２は、図８に示すように、共通の断面形状を有する２タイプのものが用意されている。一方は、そのレール押さえ部６２１の中央１か所にビス穴６２４が形成された一穴ブラケット６２Ｓとなされ、他方は、その長さが一穴ブラケット６２Ｓの長さのほぼ２倍で、レール押さえ部６２１の長手方向両端付近の２か所にビス穴６２４、６２４が形成された二穴ブラケット６２Ｌとなされている。
【００２０】
カバー６３は、一様断面を有する長尺部材で、上面板６３１、前面板６３２および下面板６３３から形成されている。上面板６３１は、前方に向かって下り勾配となり、前面板６３２に連続している。前面板６３２の下縁は、下面板６３３の下方に突出して垂下している。そして、これら上面板６３１と前面板６３２とによって水切り面が形成されている。また、上面板６３１の後縁の下面および下面板６３３の後縁の上面には、それぞれ爪形の凸条が形成され、前記ブラケット６２の上側カバー被係合部６２２および下側カバー被係合部６２３にそれぞれ係合される係合部６３４、６３５となされている。
【００２１】
次に、この水切り６を用いて施工される、防水腰壁の一般部における防水構造について説明する。図１０は、防水腰壁３に水切り６を取り付けた状態の縦断面を示しており、防水腰壁３の周辺部位のうち図１１中に示したものと同じ部位には同一の符号を付している。
【００２２】
水切り６の取り付けにあたっては、まず、１本のレール６１を防水腰壁３の上端縁部に沿ってあてがい、シーリング受け部６１２の上縁を外装材２の下端に当接させる。このとき、レール６１の基板部６１１の裏側には、水密マット５２をレール６１の長さ方向全体にわたって重ね、レール６１と防水腰壁３との間に挟み込む。この水密マット５２は、例えば、ＥＰＴなど、エチレンやプロピレンなどの重合体を基材とする合成ゴム系素材、あるいはその他の樹脂発泡体からなる可撓性の長尺部材で、レール６１の裏側に形成された下向きのリップ６１５と上向きのリップ６１６との間に装着されうる上下幅を有し、基板部６１１の後方に延出された上側リブ６１３および下側リブ６１４の延出幅よりもやや厚く形成されたものである。
【００２３】
そして、レール６１の基板部６１１の表側には、一穴ブラケット６２Ｓを重ね、基板部６１１の上側リブ６１３と下側リブ６１４との間に一穴ブラケット６２Ｓのレール押さえ部６２１を嵌合させる。一穴ブラケット６２Ｓは、レール６１の１本の長さに応じた適当な位置に１個ないし複数個ずつ配設される。そして、それぞれの一穴ブラケット６２Ｓのビス穴６２４にタッピングビス等のビス５１を打ち込み、水密マット５２を押圧しながら、一穴ブラケット６２Ｓとレール６１とを一緒に防水腰壁３の下地材に固定する。
【００２４】
レール６１を連設する際には、隣り合うレール６１の端部同士が接する突き合わせ部に二穴ブラケット６２Ｌを配設し、レール６１の突き合わせ部を跨ぐようにしてそれぞれの基板部６１１に嵌合させ、二穴ブラケット６２Ｌの２箇所のビス穴６２４からビスを打ち込む。これにより、隣り合うレール６１が、それぞれの端部を同一直線状に揃えて連結され、防水腰壁３に固定される。
【００２５】
こうして、レール６１およびブラケット６２を防水腰壁３に取り付けた後、各ブラケット６２にカバー６３を係合させる。前記したように、ブラケット６２の上側カバー被係合部６２２および下側カバー被係合部６２３と、カバー６３の上側および下側に形成された係合部６３４、６３５はそれぞれ爪形の凸条が互いに引っ掛かりあうように形成されている。そのため、カバー６３は、ブラケット６２に対し正面から押し込むだけで簡単にブラケット６２に係合支持され、レール６１の基板部６１１に打ち込まれたビス５１の頭部を被覆する。カバー６３を連設する際にも、隣り合うカバー６３の端部同士が接する突き合わせ部を二穴ブラケット６２Ｌの略中央に位置させる。
【００２６】
カバー６３を取り付けた後、各レール６１のシーリング受け部６１２の表面にバックアップ材５３を貼着する。そして、このバックアップ材５３を下地として、外装材２の下端面とカバー６３の上面板６３１との間にシーリング材５４を充填する。以上により、防水腰壁３の上端と外装材２の下端との境界部分における防水処理が完了する。
【００２７】
本発明の防水腰壁の出隅における防水構造は、前記した防水腰壁の一般部における防水構造と併用されるものであって、前記防水構造に連続するようにして防水腰壁３の出隅に設けられる。
【００２８】
図１は、防水腰壁の出隅における防水構造の施工に使用される出隅用水切り７を示す。出隅用水切り７は、防水腰壁３の出隅にあてがわれる出隅用ジョイナー７１と、その前面に取り付けられる出隅用カバー７２とから構成されている。
【００２９】
出隅用ジョイナー７１は、本体部７１１と、連結部７１２と、カバー支承部７１３とを備える部材である。
【００３０】
本体部７１１は、横長の板体を、出隅を形成する２面の防水腰壁３のなす平面角（以下「出隅角」という）と同一の角度に屈曲させたものである。本体部７１１の高さは、前記水切り６におけるレール６１の高さと略同一になされている。
【００３１】
連結部７１２は、前記本体部７１１の両端縁部からそれぞれ延出された平板状の部分で、本体部７１１の下半部に位置している。そして、連結部７１２の高さおよび厚みが、前記水切り６におけるレール６１の基板部６１１の背面に形成された上側リブ６１３、下側リブ６１４と、上下のリップ６１５、６１６との間に嵌合される大きさに形成されている。
【００３２】
カバー支承部７１３は、前記本体部７１１の前面に突設された横断面Ｔ字形またはＬ字型の凸条で、凸条を縦向きにして、本体部７１１の左右両側にそれぞれ３箇所づつ設けられている。
【００３３】
一方、出隅用カバー７２は、出隅両側の２面の防水腰壁３に沿って、前記出隅用ジョイナー７１のカバー支承部７１３の前面にそれぞれあてがわれる一対の直線部７２１から形成されている。各直線部の長さ７２１は、前記出隅用ジョイナー７１の本体部７１１の左右それぞれの長さよりもやや長く形成されている。左右両側の直線部７２１は、出隅角と同一の角度に屈曲し、表面が継ぎ目なく連続するようあらかじめ一体に成形されている。直線部７２１の断面形状は、図２に示すように、前記水切り６におけるカバー６３と同一の外形を有し、前方に向う下り勾配を持つ上面板７２２と、上面板７２２の前縁から下方に垂下する前面板７２３とによって水切り面が形成されている。また、上面板７２２の後縁の下面および下面板７２４の後縁の上面には、それぞれ爪形の凸条による係合部７２５、７２６が形成されている。さらに、上面板７２２の前方寄りの下面および下面板７２４の前方寄りの上面には、それぞれ補強用のリブ７２７、７２８が設けられている。
【００３４】
次に、この出隅用水切り７を使用し、防水腰壁の出隅における防水構造を施工する手順について説明する。
【００３５】
防水腰壁３の出隅においては、図１２に示したように、出隅の稜角部付近に貼り重ねられた防水部材１３等による表面の段差が形成されている。
【００３６】
そこで、まず、図４に示すように、出隅用ジョイナー７１の一方の連結部７１２を、一方の水切り６のレール６１の一端において基板部６１１の背面に嵌合させ、出隅用ジョイナー７１とレール６１とを連結する。これらを、出隅用ジョイナー７１が防水腰壁３の出隅に位置するように、かつ、出隅用ジョイナー７１およびレール６１の上縁が外装材２の下端に当接するようにして、一方の防水腰壁３の上端縁部にあてがう。このとき、レール６１および出隅用ジョイナー７１の裏側には、前記した水密マット５２を重ねて防水腰壁３との間に挟み込む。この水密マット５２は、出隅両側の２面の防水腰壁３にわたって連続するよう、あらかじめ十分な長さのものを用いる。そして、レール６１の基板部６１１にブラケット６２を嵌合させ、ブラケット６２のビス穴６２４からビス５１を打ち込み、水密マット５２を押圧しながら、レール６１をブラケット６２とともに一方の防水腰壁３に固定する。このとき、ブラケット６２をレール６１の端部に配設し、ブラケット６２のビス穴６２４に打ち込まれるビス５１が出隅用ジョイナー７１の連結部７１２を貫通するようにビス止めしてもよい。さらに、出隅用ジョイナー７１の他方の連結部７１２にも、他方の水切り６のレール６１の一端を連結し、同様にして他方の防水腰壁３にビス止めする。こうして、図５に示すように、出隅用ジョイナー７１が、両側のレール６１に挟まれた状態で、防水腰壁３の出隅に取り付けられる。
【００３７】
なお、ここで用いるブラケット６２は、一穴ブラケット６２Ｓ、二穴ブラケット６２Ｌのいずれでもよい。また、ここで用いるレール６１は、あまり長くないものの方が作業性がよい。
【００３８】
続いて、図６に示すように、前記出隅用ジョイナー７１および両側のレール６１の出隅側の端部前面に、出隅用カバー７２を取り付ける。出隅用カバー７２は、前記したように、直線部７２１の背面に係合部７２５、７２６が形成されているため、出隅の稜角部の前面から左右のブラケット６２に向かって押し込むことによりブラケット６２に係合、連結される。
【００３９】
こうして取り付けられた出隅用水切り７の両側に、さらにレール６１およびブラケット６２を連設し、カバー６３を取り付ける。こうして、図７に示すように、出隅用水切り７から一般部用の水切り６に連続する水切り面が形成される。このとき、出隅用カバー７２の両端部がいずれかのブラケット６２の中央付近に位置するように直線部７２１の長さを設定することにより、出隅用カバー７２と、これに連設される水切り６のカバー６３との端部同士がブラケット６２上で突き合わせられ、水切り面がきちんと揃い、見栄えや防水性が良くなる。
【００４０】
バルコニーの全周に水切り６を取り付けた後、レール６１のシーリング受け部６１２および出隅用ジョイナー７１の本体部７１１の表面にバックアップ材５３を貼着する。このバックアップ材５３を下地として、外装材２の下端面と、カバー６３の上面板６３１および出隅用カバー７２の上面板７２２との間にシーリング材５４を充填する。これで、防水腰壁３と外装材２との境界部の止水処理が完了する。
【００４１】
本発明の防水腰壁の出隅における防水構造は、前記のように実施されることにより、以下の特長を有する。
【００４２】
第一に、図３に示すように、出隅用ジョイナー７１の裏側には、水切り６のレール６１の裏側から連続する水密マット５２が重ねられるため、この水密マット５２が、レール６１のビス止めにより圧縮されて防水腰壁３の表面に押し付けられ、防水部材１３等によって防水腰壁３の表面に形成された段差を埋めるようにして、レール６１および出隅用ジョイナー７１と防水腰壁３との間に充填される。こうして、出隅用ジョイナー７１およびレール６１の取付位置が平坦化され、これらが納まりよく取り付けられるとともに、これらの裏側の水密性も確保されることとなる。
【００４３】
第二に、この防水構造は、出隅用ジョイナー７１の連結部７１２を水切り６のレール６１に連結してその前面に出隅用カバー７２を取り付ける構造となされている。そして、出隅用カバー７２は、水切り６のカバー６３と同一断面の水切り面を備え、出隅用ジョイナー７１の前面でカバー支承部７１３に支承され、ブラケット６２を介して水切り６のカバー６３と端部同士を揃えて面一に連結されるようになされている。これらにより、出隅用水切り７と水切り６とが、ずれることなく正確に連続して取り付けられる。同時に、出隅用ジョイナー７１の上縁およびレール６１の上縁が、出隅の両側の外装材２の下端面に当接されるので、バックアップ材５３およびシーリング材５４が確実に受け止められる。こうして、施工後の見栄えが良くなるとともに、シーリング材５４の充填作業の精度が上がり、高い水密性が得られる。
【００４４】
なお、出隅用ジョイナー７１は、カバー支承部７１３の本数を増減させたものでもよい。あるいは、カバー支承部７１３を本体部７１１の上縁まで延設せず、出隅用カバー７２の背面の高さに揃えて本体部７１１の上部を平坦に形成することにより、シーリングを更にしやすくしてもよい。
【００４５】
第三に、出隅用カバー７２が、左右の直線部７２１を出隅角と同じ角度に屈曲させ、継ぎ目なく一体に成形されたものであるため、防水腰壁３の出隅に沿ってぴったりとあてがわれる。したがって、出隅の稜角部において両側の水切り４を継ぎ合わせる従来の防水構造に比べ、その施工がはるかに簡単になる。また、一体に成形された１つの部材で出隅の稜角部を被覆するため、良好な美観が得られるとともに、歩行者や物品がぶつかっても水切り面が損傷しにくくなり、稜角部における水密性を従来よりも長期にわたって確保することができる。
【００４６】
なお、本発明の出隅用水切り７と併用される水切り６は、前記した図８および図９に示すものに限定されない。本発明の出隅用水切り７を構成する出隅用ジョイナー７１および出隅用カバー７２と合理的に連結されて連続しうる形状や構造を備えるものであればよく、例えば、レール６１とブラケット６２が一体的に形成されたもの、ブラケット６２とカバー６３との係合部の形状が異なるもの、レール６１にブラケット６２が摺動自在に係合されたもの、レール６１にカバー被係合部が形成されてブラケット６２を介さずにカバー６３を係合支持しうるもの、などであってもよい。ただし、それらの形状、構造に応じて、出隅用水切り７の連結部７１２の位置や形状が多少変形される場合もある。
【００４７】
ところで、以上の説明においては、防水腰壁３の出隅が直角（出隅角が２７０度）の場合を図示していたが、これに限らず、例えば出隅角が２４０度や２２５度などである場合にも、出隅用ジョイナー７１や出隅用カバー７２の形状をその出隅角にあらかじめ適合させて形成することにより、本発明を実施することは可能である。
【００４８】
【発明の効果】
本発明の防水腰壁の出隅における防水構造によれば、出隅用ジョイナーの裏側には水密マットが重ねられるため、この水密マットが圧縮されて防水腰壁の表面に押し付けられ、防水部材等により防水腰壁の表面に形成された段差を埋めるようにして、出隅用ジョイナーと防水腰壁との間に充填される。こうして、出隅用ジョイナーの取付位置が平坦化され、出隅用ジョイナーが納まりよく取り付けられるとともに、その裏側の水密性も確保されることとなる。
【００４９】
また、出隅用ジョイナーが、その上縁を外装材の下端に当接させ、さらに、出隅用カバーも、出隅両側の水切りと互いの水切り面を面一に連続させて連結されるので、出隅周辺が各部材により隙間なく被覆され、出隅におけるシーリングの施工性が向上する。
【００５０】
さらに、出隅用カバーの表面が、防水腰壁の出隅に沿って継ぎ目なく連続するように成形されているので、良好な美観が得られるとともに、出隅の稜角部に水切り面を設ける作業が容易になり、その耐久性も向上する。
【００５１】
これらにより、防水腰壁と外壁材との境界部分における水密性が高められ、出隅からの浸水を防止することができる。
【００５２】
また、本発明の出隅用水切りによれば、前記した防水腰壁の出隅における防水構造の施工を、確実かつ効率的に行うことができる。
【図面の簡単な説明】
【図１】本発明の出隅用水切りの構成を示す斜視図である。
【図２】前記出隅用水切りの、出隅用カバーの直線部の断面形状を示す縦断面図である。
【図３】本発明の防水腰壁の出隅における防水構造の横断面図である。
【図４】前記出隅における防水構造の施工手順を示す第一の斜視図である。
【図５】同じく第二の斜視図である。
【図６】同じく第三の斜視図である。
【図７】同じく第四の斜視図である。
【図８】防水腰壁の一般部における防水構造に使用される水切りの構成を示す斜視図である。
【図９】前記水切りを構成する各部材の断面形状を示す縦断面図である。
【図１０】前記水切りを防水腰壁の上端縁部に沿って取り付けた状態を示す縦断面図である。
【図１１】従来の防水腰壁の防水構造および従来の水切りを示す断面斜視図である。
【図１２】防水腰壁の出隅における防水シート等の貼設状態を示す斜視図である。
【符号の説明】
１  外部床（バルコニー床または屋上床）
２  外装材
３  防水腰壁
５２  水密マット
５４  シーリング材
６  水切り
７  出隅用水切り
７１  出隅用ジョイナー
７１２  連結部
７２  出隅用カバー
７２１  直線部
【図１】
0003654486.tif 000002
【図２】
0003654486.tif 000003
【図３】
0003654486.tif 000004
【図４】
0003654486.tif 000005
【図５】
0003654486.tif 000006
【図６】
0003654486.tif 000007
【図７】
0003654486.tif 000008
【図８】
0003654486.tif 000009
【図９】
0003654486.tif 000010
【図１０】
0003654486.tif 000011
【図１１】
0003654486.tif 000012
【図１２】
0003654486.tif 000013